(57)【要約】　　　（修正有）【課題】簡易な記録ヘッド構成により、普通紙上で十分な単色画質／混色画質／インク乾燥性を両立したインクジェット記録方法およびインクジェット記録装置を提供すること。【解決手段】カラーインク記録ヘッド１４は、記録媒体搬送方向に沿って一列に配置され、ブラックインク記録ヘッド１２は、一列に配置された各色の前記カラーインク記録ヘッド１４のうち上流側に配置された前記カラーインク記録ヘッド１４よりも前記記録媒体搬送方向の上流側に突出し、且つ前記カラーインク記録ヘッド１４の並びよりも前記記録媒体搬送方向に対して略直交方向側にずれて配置されており、カラー印字のとき、前記カラーインク記録ヘッド１４よりも前記記録媒体搬送方向の上流側に突出した部分からブラックインクを吐出した後、各色の前記カラーインク記録ヘッド１４からカラーインクを吐出して画像を記録する。【選択図】　図１
2004009324.tif 000002
【特許請求の範囲】
【請求項１】
ブラックインクを吐出するブラックインク記録ヘッドと、シアンインク、マゼンタインク及びイエローインクのカラーインクをそれぞれ吐出するカラーインク記録ヘッドと、により、記録媒体上にインクを吐出して画像を記録するインクジェット記録方法において、
各色の前記カラーインク記録ヘッドは、前記記録媒体搬送方向に沿って一列に配置され、
前記ブラックインク記録ヘッドは、一列に配置された各色の前記カラーインク記録ヘッドのうち上流側に配置された前記カラーインク記録ヘッドよりも前記記録媒体搬送方向の上流側に突出し、且つ前記カラーインク記録ヘッドの並びよりも前記記録媒体搬送方向に対して略直交方向側にずれて配置されており、
カラー印字のとき、前記ブラックインク記録ヘッドにおける前記カラーインク記録ヘッドよりも前記記録媒体搬送方向の上流側に突出した部分からブラックインクを吐出した後、各色の前記カラーインク記録ヘッドからカラーインクを吐出して画像を記録する、
ことを特徴とするインクジェット記録方法。
【請求項２】
各色の前記カラーインク記録ヘッドは隣接して配置され、隣接して配置された各色の前記カラーインク記録ヘッドの前記記録媒体搬送方向に沿った長さが略同等であると共に、前記ブラックインク記録ヘッドは、各色の前記カラーインク記録ヘッドの前記記録媒体搬送方向に沿った長さ分、前記記録媒体搬送方向の上流側に突出して配置されていることを特徴とする請求項１に記載のインクジェット記録方法。
【請求項３】
前記ブラックインク記録ヘッドの前記記録媒体搬送方向に沿った長さは、隣接して配置された各色の前記カラーインク記録ヘッド全体の前記記録媒体搬送方向に沿った長さと略同等或いはそれ以上であることを特徴とする請求項２に記載のインクジェット記録方法。
【請求項４】
前記ブラックインク及び前記カラーインクに色材が含まれ、前記ブラックインクに含まれる色材はカーボンブラックであり、前記カラーインクに含まれる色材は染料であることを特徴とする請求項１〜３のいずれかに記載のインクジェット記録方法。
【請求項５】
前記ブラックインク及び前記カラーインクに色材が含まれ、前記ブラックインクに含まれる色材はカーボンブラックであり、前記カラーインクに含まれる色材は顔料であることを特徴とする請求項１〜３のいずれかに記載のインクジェット記録方法。
【請求項６】
前記ブラックインクは、当該インクを普通上に４μｌ滴下した時の動的接触角が滴下１０秒後において８０°以下で、且つ滴下１００秒後において２０°以上であることを特徴とする請求項１〜５のいずれかに記載のインクジェット記録方法。
【請求項７】
ブラックインクを吐出するブラックインク記録ヘッドと、シアンインク、マゼンタインク及びイエローインクのカラーインクをそれぞれ吐出するカラーインク記録ヘッドとを備えるインクジェット記録装置において、
各色の前記カラーインク記録ヘッドは、前記記録媒体搬送方向に沿って一列に配置され、
前記ブラックインク記録ヘッドは、一列に配置された各色の前記カラーインク記録ヘッドのうち上流側に配置された前記カラーインク記録ヘッドよりも、記録媒体搬送方向の上流側に突出し、且つ前記記録媒体搬送方向の略直交方向側にずれて配置され、カラー印字のとき、前記カラーインク記録ヘッドよりも前記記録媒体搬送方向の上流側に突出した部分からブラックインクが吐出される、
ことを特徴とするインクジェット記録装置。
【請求項８】
各色の前記カラーインク記録ヘッドは隣接して配置され、隣接して配置された各色の前記カラーインク記録ヘッドの前記記録媒体搬送方向に沿った長さが略同等であると共に、前記ブラックインク記録ヘッドは、前記記録媒体搬送方向に沿った長さが隣接して配置された各色の前記カラーインク記録ヘッド全体と略同等であることを特徴とする請求項７に記載のインクジェット記録装置。
【請求項９】
前記ブラックインク記録ヘッドが、各色の前記カラーインク記録ヘッドの前記記録媒体搬送方向に沿った長さ分、前記記録媒体搬送方向の上流側に突出して配置されていることを特徴とする請求項７又は８に記載のインクジェット記録装置。
【発明の詳細な説明】
【０００１】
【発明の属する技術分野】
本発明は、インクジェット記録方法及びインクジェット記録装置に関するものである。
【０００２】
【従来の技術】
ノズル、スリットあるいは多孔質フィルム等から液体あるいは溶融固体インクを吐出し、紙，布，フィルム等に記録を行ういわゆるインクジェット方式の記録装置は、小型で安価、静寂性等の利点から精力的に検討が行われ、最近では、コピー用紙等のいわゆる普通紙上で良好な印字品質が得られる、フルカラー記録が可能な製品が数多く市販されており、記録装置の分野で大きな位置を占めるようになった。
【０００３】
インクジェット記録方法においては、従来より各種要求特性の両立がいろいろと検討されており、特に普通紙上で単色画質、混色画質、インク乾燥性を両立するのは大きな課題である。これら特性を単独インクで達成するのは困難であり、いろいろな工夫がなされている。たとえば、ＵＳＰ５４８８４０２号ではブラック及びカラーの混色画質改善を提案しているが、もともとブラック単色画質は良好である一方、乾燥性は十分なレベルにない。但し、同じインクセットでブラック画像部をカラーインクで下打ちすることにより、乾燥性も改善される。このような方法で上記３特性を満たしているが、耐水性や耐摩擦性は劣化するという欠点も持ち合わせている。また、特許登録２６７５００１号に示されるような２液方式や、ヒータによって被記録材を温めインクを乾燥させるなどの方式も採用されている。しかし、これらの方法もコスト面やプリンタのコンパクトさという点で不利に働く。このように、普通紙上で単色画質、混色画質、インク乾燥性を両立することについては、鋭意研究されてはいるが、昨今の技術要求を満たすためには、未だ十分なレベルではないのが現状である。
【０００４】
【発明が解決しようとする課題】
本発明は、前記従来における諸問題を解決し、以下の目的を達成することを課題とする。即ち、本発明の目的は、簡易な記録ヘッド構成により、普通紙上で十分な単色画質／混色画質／インク乾燥性を両立したインクジェット記録方法およびインクジェット記録装置を提供することである。
【０００５】
【課題を解決するための手段】
上記課題は、以下の手段により解決される。即ち、本発明は、
（１）ブラックインクを吐出するブラックインク記録ヘッドと、シアンインク、マゼンタインク及びイエローインクのカラーインクをそれぞれ吐出するカラーインク記録ヘッドと、により、記録媒体上にインクを吐出して画像を記録するインクジェット記録方法において、
各色の前記カラーインク記録ヘッドは、前記記録媒体搬送方向に沿って一列に配置され、
前記ブラックインク記録ヘッドは、一列に配置された各色の前記カラーインク記録ヘッドのうち上流側に配置された前記カラーインク記録ヘッドよりも前記記録媒体搬送方向の上流側に突出し、且つ前記カラーインク記録ヘッドの並びよりも前記記録媒体搬送方向に対して略直交方向側にずれて配置されており、
カラー印字のとき、前記ブラックインク記録ヘッドにおける前記カラーインク記録ヘッドよりも前記記録媒体搬送方向の上流側に突出した部分からブラックインクを吐出した後、各色の前記カラーインク記録ヘッドからカラーインクを吐出して画像を記録し、
ことを特徴とするインクジェット記録方法。
【０００６】
（２）各色の前記カラーインク記録ヘッドは隣接して配置され、隣接して配置された各色の前記カラーインク記録ヘッドの前記記録媒体搬送方向に沿った長さが略同等であると共に、前記ブラックインク記録ヘッドは、各色の前記カラーインク記録ヘッドの前記記録媒体搬送方向に沿った長さ分、前記記録媒体搬送方向の上流側に突出して配置されていることを特徴とする前記（１）に記載のインクジェット記録方法。
【０００７】
（３）前記ブラックインク記録ヘッドの前記記録媒体搬送方向に沿った長さは、隣接して配置された各色の前記カラーインク記録ヘッド全体の前記記録媒体搬送方向に沿った長さと略同等或いはそれ以上であることを特徴とする前記（２）に記載のインクジェット記録方法。
【０００８】
（４）前記ブラックインク及び前記カラーインクに色材が含まれ、前記ブラックインクに含まれる色材はカーボンブラックであり、前記カラーインクに含まれる色材は染料であることを特徴とする前記（１）〜（３）のいずれかに記載のインクジェット記録方法。
【０００９】
（５）前記ブラックインク及び前記カラーインクに色材が含まれ、前記ブラックインクに含まれる色材はカーボンブラックであり、前記カラーインクに含まれる色材は顔料であることを特徴とする前記（１）〜（３）のいずれかに記載のインクジェット記録方法。
【００１０】
（６）前記ブラックインクは、当該インクを普通上に４μｌ滴下した時の動的接触角が滴下１０秒後において８０°以下で、且つ滴下１００秒後において２０°以上であることを特徴とする前記（１）〜（５）のいずれかに記載のインクジェット記録方法。
【００１１】
（７）ブラックインクを吐出するブラックインク記録ヘッドと、シアンインク、マゼンタインク及びイエローインクのカラーインクをそれぞれ吐出するカラーインク記録ヘッドとを備えるインクジェット記録装置において、
各色の前記カラーインク記録ヘッドは、前記記録媒体搬送方向に沿って一列に配置され、
前記ブラックインク記録ヘッドは、一列に配置された各色の前記カラーインク記録ヘッドのうち上流側に配置された前記カラーインク記録ヘッドよりも、記録媒体搬送方向の上流側に突出し、且つ前記記録媒体搬送方向の略直交方向側にずれて配置され、カラー印字のとき、前記カラーインク記録ヘッドよりも前記記録媒体搬送方向の上流側に突出した部分からブラックインクが吐出されることを特徴とする、
ことを特徴とするインクジェット記録装置。
【００１２】
（８）各色の前記カラーインク記録ヘッドは隣接して配置され、隣接して配置された各色の前記カラーインク記録ヘッドの前記記録媒体搬送方向に沿った長さが略同等であると共に、前記ブラックインク記録ヘッドは、前記記録媒体搬送方向に沿った長さが隣接して配置された各色の前記カラーインク記録ヘッド全体と略同等であることを特徴とする前記（７）に記載のインクジェット記録装置。
【００１３】
（９）前記ブラックインク記録ヘッドが、各色の前記カラーインク記録ヘッドの前記記録媒体搬送方向に沿った長さ分、前記記録媒体搬送方向の上流側に突出して配置されていることを特徴とする（７）又は（８）に記載のインクジェット記録装置。
【００１４】
【発明の実施の形態】
以下、本発明の実施の形態を図面を参照しつつ説明する。なお、実質的に同様の機能を有するものには、全図面通して同じ符号を付して説明し、場合によってはその説明を省略することがある。また、本発明の実施の形態の説明は、インクジェット記録方法及びインクジェット記録装置の説明を兼ねる。
【００１５】
図１は、本発明の実施の形態に係るインクジェット記録方法に適用される記録ヘッドの一例を示す概略構成図である。図２は、本発明の実施の形態に係るインクジェット記録方法に適用される記録ヘッドの他の一例を示す概略構成図である。
【００１６】
実施の形態に係るインクジェット記録方法おいては、図１〜２に示すように、記録ヘッド１０は、ブラックインクを吐出するブラックインク記録ヘッド１２と、シアンインクを吐出するシアンインク記録ヘッド１６、マゼンタインクを吐出するマゼンタインク記録ヘッド１８及びイエローインクを吐出するイエローインク記録ヘッド２０を含むカラーインク記録ヘッド１４と、から構成されている。
【００１７】
カラーインク記録ヘッド１４は、副走査方向（記録媒体搬送方向：図中矢印Ａ）に沿って、上流側からシアンインク記録ヘッド１６、マゼンタインク記録ヘッド１８及びイエローインク記録ヘッド２０が順次、一列に隣接して配置されている。隣接して配置されたシアンインク記録ヘッド１６、マゼンタインク記録ヘッド１８及びイエローインク記録ヘッド２０は、それぞれ副走査方向に沿った長さが略同等である。
【００１８】
一方、ブラックインク記録ヘッド１２は、カラーインク記録ヘッド１４のうち上流側に配置されたシアンインク記録ヘッド１６よりも副走査方向の上流側に突出し、且つカラーインク記録ヘッド１４の並びよりも主走査方向（副走査方向記録媒体搬送方向：図中矢印Ｂ）にずれて配置されている。図１で示す形態の場合、ブラックインク記録ヘッド１２は、カラーインク記録ヘッド１４の並びよりも副走査方向に向かって左側（図中では右側）にずれて配置されている。図２で示す形態の場合、ブラックインク記録ヘッド１２は、カラーインク記録ヘッド１４の並びよりも副走査方向に向かって右側（図中では左側）にずれて配置されている。
【００１９】
また、ブラックインク記録ヘッド１２の副走査方向に沿った長さは、隣接して配置されたシアンインク記録ヘッド１６、マゼンタインク記録ヘッド１８及びイエローインク記録ヘッド２０のカラーインク記録ヘッド１４全体の副走査方向に沿った長さと略同等である。ブラックインク記録ヘッド１２は、隣接して配置された１つの色のカラーインク記録ヘッド１４の副走査方向に沿った長さ分、副走査方向の上流側に突出して配置されている。即ち、ブラックインク記録ヘッド１２の副走査方向に沿った長さのうち１／３が突出して配置されている。
【００２０】
記録ヘッド１０の吐出方式はヒータによりバブルを発生させて行うサーマル方式、圧電素子によって行うピエゾ方式のどちらでもよい。サーマル方式の場合、複数のパルス印加により１個の液滴を形成させることにより、ドロップ量が安定して連続吐出の際の吐出安定性を高める効果が得られる。また、各インクの吐出量は、画像の粗さを低減するため、１ドロップあたり２０ｎｇ以下とすることが好ましい。また、記録ヘッドの解像度は４００ｄｐｉ以上が好ましく、８００ｄｐｉ以上がより好ましい。また、プリント速度を上げるため、１ヘッドあたりのノズル数は、好ましくは６００以上、より好ましくは８００以上である。
【００２１】
実施の形態に係るインクジェット記録方法では、主走査方向（スキャン方向）に記録ヘッド１０を往復移動させて主走査方向の印字がなされ、記録媒体を搬送することで、副走査方向の印字がなされる。カラー印字の場合、まず、ブラックインク記録ヘッド１２におけるカラーインク記録ヘッド１４よりも副走査方向の上流側に突出した突出部１２ａからブラックインクを吐出させる。そして、副走査方向の上流側からシアンインク記録ヘッド１６、マゼンタインク記録ヘッド１８及びイエローインク記録ヘッド２０の順にそれぞれのカラーインクを吐出して、画像を記録する。
【００２２】
実施の形態に係るインクジェット記録方法では、副走査方向に沿って一列に配置された各色のカラーインク記録ヘッド１４と、各色のカラーインク記録ヘッド１４のうち上流側に配置されたカラーインク記録ヘッド１４（実施の形態ではシアンインク記録ヘッド１６）よりも副走査方向の上流側に突出して配置されたブラックインク記録ヘッドとからなる構成の記録ヘッド１０により、カラー印字を行なうと、ブラックインクが先に印字され、その後、シアンインク、マゼンタインク、及びイエローインクが順次印字される。
【００２３】
また、ブラックインク記録ヘッド１２は、カラーインク記録ヘッド１４の並びよりも主走査方向にずれて配置されているので、ブラックインク記録ヘッド１２とカラーインク記録ヘッド１４とが副走査方向に沿って一列に並んでいる場合よりも、ブラックインクの印字とカラーインクの印字との時間差が大きい。
【００２４】
従って、実施の形態に係るインクジェット記録方法では、上述のように、ブラックインク、カラーインクの順に印字させると共に、ブラックインクの印字とカラーインクの印字との時間差を大きくすることで、インターカラーブリード（ＩＣＢ）を効果的に抑制することが可能となり、インク乾燥性を向上させるとともに、単色画質が向上される。これは、ブラックインクの場合、記録媒体（特に普通紙）上における単色でのにじみを抑制するために、カラーインクよりもインクの浸透時間を遅くする必要があり、ブラックインクとカラーインクとを同スキャンで印字すると、浸透の遅いブラックインクがカラーインクに流れ込み、インターカラーブリード（ＩＣＢ）のディフェクトが発生するが、先にブラックインクを印字し、ある程度、記録媒体中に浸透させた後から、浸透の速いカラーインクを印字することで、ブラックインクのカラーインク側への流れ込みを抑制することができるのではないかと、考えられる。
【００２５】
特に、本実施の形態のように、各色のカラーインク記録ヘッドの配列を、副走査方向に沿って、上流側からシアンインク記録ヘッド１６、マゼンタインク記録ヘッド１８及びイエローインク記録ヘッド２０の順に配列させ、イエローインク記録ヘッド２０を一番下流側に位置させているので、ブラックインクの印字とイエローインクの印字の間にシアンインク及びマゼンタインクの印字がなされ、よりブラックインクが記録媒体中に浸透する時間を稼ぐことができ、最も目立ちやすいブラックインクとイエローインク間のＩＣＢをより効果的に抑制することができる。
【００２６】
また、各色のカラーインク記録ヘッド１４が主走査方向（スキャン方向）に沿って横並びになっていると２次色、３次色では、主走査方向の往路・復路では、色重ね順が変わるため、バンド間色むらとして検知されてしまうという欠点があるが、実施の形態に係るインクジェット記録方法では、上述のように、各色のカラーインク記録ヘッド１４が副走査方向に沿って一列に並ぶことで、色重ね順は一定のため、主走査方向の往路・復路ともに、決まった順序で印字され、バンド間色むらは発生せず、一定した色目や色調が得られ、混色画質が向上される。さらに、各色のカラーインク記録ヘッド１４が副走査方向に沿って一列に並んでいる方が、主走査方向（スキャン方向）に沿って横並びになっている方にに比べ、スキャン（記録ヘッドの走査）の振れ幅が小さくてすみ、プリンタの横幅をコンパクトにすることが可能である。
【００２７】
実施の形態に係るインクジェット記録方法では、カラー印字の場合、ブラックインクは、その突出部１２ａからのみ吐出されるが、ブラックインク単独印字の場合、ブラックインク記録ヘッド１２全体を用いてブラックインクを吐出することができ、１枚あたりの印字速度をカラーのときに比べ、早めることが可能である。
【００２８】
実施の形態に係るインクジェット記録方法では、特に、各色のカラーインク記録ヘッド１４は隣接して配置され、隣接して配置された各色のカラーインク記録ヘッド１４の録媒体搬送方向に沿った長さが略同等であると共に、ブラックインク記録ヘッド１２は、各色のカラーインク記録ヘッド１４の副走査方向に沿った長さ分、副走査方向の上流側に突出して配置されており、カラー印字する場合、各記録ヘッドの副走査方向に沿った長さが略同等となるのに相当するので、均一に且つ綺麗に印字することが可能であると共に、より記録ヘッド１０の大きさをコンパクトすることができる。
【００２９】
実施の形態に係るインクジェット記録方法では、ブラックインク記録ヘッド１２の副走査方向に沿った長さが、隣接して配置された各色のカラーインク記録ヘッド１４全体の副走査方向に沿った長さと略同等であるため、上述のように、ブラックインク単独印字の場合、使用される記録ヘッドが大きくなるため、１枚あたりの印字速度をさらに早めることが可能である。また、ブラックインク記録ヘッド１２の副走査方向に沿った長さが、隣接して配置された各色のカラーインク記録ヘッド１４全体の副走査方向に沿った長さ以上の場合であると、より効果的に、１枚あたりの印字速度を早めることが可能である。
【００３０】
以下、各インクの好適な形態について説明する。
カラーインクに含まれる色材は染料及び／又は顔料を用いることができる。カラーインクに用いる色材は、染料、顔料のいずれてもよいが、顔料の方が染料に比べ変退色に関しては有利である一方、顔料は発色と透過性の点で若干ではあるが劣るので、染料が好適な場合もある。
一方、ブラックインクに含まれる色材としては、カーボンブラックであることが、ＩＣＢと画像の耐水性／耐光性の観点から好適である。カーボンブラックとしては、特に限定はなく、従来公知のものを用いることができ、通常の分散剤によりインクベヒクル中に分散するカーボンブラックでも、表面に水に対する可溶化基を数多く有し高分子分散剤の存在がなくとも水中で安定に分散する水に自己分散可能なカーボンブラックでもよい。
【００３１】
カラーインクは、当該インクを普通紙上に４μｌ滴下した時の１０秒後における動的接触角が８０°以下であることが好ましく、より好ましくは６０°以下である。普通紙上に滴下１０秒後の動的接触角が８０°を越えるカラーインクの場合、インク乾燥性が劣りやすく、特にスキャン速度および記録媒体搬送ピッチ（用紙送りピッチ）の速いときには、カラーインクが浸透し難いため、ＩＣＢ改善効果が十分には発揮されないことがある。
一方、ブラックインクは、当該インクを普通上に４μｌ滴下した時の動的接触角が滴下１０秒後において８０°以下で、且つ滴下１００秒後において２０°以上であることがインク乾燥性／文字品位およびＩＣＢの両立の観点から好ましく、１０秒後の動的接触角が７０°以下でかつ１００秒後の動的接触角が３０°以上であるのがより好ましい。普通紙上で滴下１００秒後における動的接触角が２０°未満であるブラックインクの場合、ブラックインクとしての単色画質の点で劣りやすく、逆に、滴下１０秒後の動的接触角が８０°を越えるブラックインクの場合、インク乾燥性が劣りやすく、特にスキャン速度および記録媒体搬送ピッチ（用紙送りピッチ）の速いときには、カラーインク印字の段階でブラックインクがあまり記録媒体中に浸透し難いため、ＩＣＢ改善効果が十分には発揮されないことがある。
【００３２】
ここで、インクの動的接触角とは、インクを所定の用紙上に滴下させてから所定時間経過後のいわゆる接触角、すなわちインク滴と所定の用紙との接液部における、インク滴表面と所定の用紙とのなす角をいう。動的接触角は、２３℃、５５％ＲＨの条件下で、４μｌのインクを所定の用紙上に滴下させてから１０秒あるいは１００秒経過後の上記なす角をいい、測定装置としては、例えば動的接触角計ＦＩＢＲＯ１１００ＤＡＴを用いることができる。また、普通紙とは富士ゼロックス社製Ｌ紙、富士ゼロックス社製マルチエース紙、富士ゼロックス社製Ｐ紙、ゼロックス社製４０２４紙、ゼロックス社製Ｂｕｓｉｎｅｓｓ　Ｍｕｌｔｉｐｕｒｐｏｓｅ　４２００紙、Ｒａｎｋ　ＸＥＲＯＸ社製Ｅｘｃｌｕｓｉｖｅ　８０紙などが挙げられる。
【００３３】
【実施例】
以下、本発明を、実施例を挙げてさらに具体的に説明する。ただし、これら各実施例は、本発明を制限するものではない。
【００３４】
（実施例１）
解像度８００ｄｐｉ／ノズル数８３２のブラックインク記録ヘッドと、それぞれ解像度８００ｄｐｉ／ノズル数２５６のシアンインク記録ヘッド、マゼンタインク記録ヘッド、イエローインク記録ヘッドを含むカラーインク記録ヘッドとからなり、図１に示す記録ヘッドと同様な構成の記録ヘッドを備えるプリンタを試作した。
【００３５】
（比較例１）
解像度８００ｄｐｉ／ノズル数２５６のブラックインク記録ヘッドと、それぞれ解像度８００ｄｐｉ／ノズル数２５６のシアンインク記録ヘッド、マゼンタインク記録ヘッド、イエローインク記録ヘッドを含むカラーインク記録ヘッドとからなり、図３に示す構成の記録ヘッドを備えるプリンタを試作した。
【００３６】
ここで、図３に示す記録ヘッド１０は、主走査方向に沿って、図中左側からブラックインク記録ヘッド１２、シアンインク記録ヘッド１６、マゼンタインク記録ヘッド１８、及びイエローインク記録ヘッド２０を順次一列に並べた構成である。
【００３７】
（評価）
上記各プリンタにより、以下のように調製したブラック、シアン、マゼンタ、及びイエローインク（インクの特性は表１に示す）を用いて、富士ゼロックス社製Ｐ紙に印字し、下記評価を行った。結果を表２に示す。
【００３８】
―インクの調製―
・ブラックインク
Ｃａｂ−ｏ−ｊｅｔ３００（顔料分散液）　　　　　　・・・・４０質量部
グリセリン　　　　　　　　　　　　　　　　　　　　・・・・２０質量部
ポリオキシエチレンオレイルエーテル　　　　　　　・・・・０．２質量部
ポリオキシエチレン２−エチルヘキシルエーテル　　・・・・０．１質量部
純水　　　　　　　　　　　　　　　　　　　　　・・・・５２．８質量部
上記の各成分を十分攪拌混合したのち、２μｍフィルターを用いて加圧ろ過を行い、ブラックインクを調製した。
【００３９】
・シアンインク
Ｃ．Ｉ．Ｄｉｒｅｃｔ　Ｂｌｕｅ　１９９　　　　　　　・・・・４質量部
エチレングリコール　　　　　　　　　　　　　　　　・・・・１０質量部
ブチルカルビトール　　　　　　　　　　　　　　　　　・・・・４質量部
トリエチレングリコールモノブチルエーテル　　　　　　・・・・５質量部
尿素　　　　　　　　　　　　　　　　　　　　　　　　・・・・５質量部
純水　　　　　　　　　　　　　　　　　　　　　　　・・・・７２質量部
上記の各成分を十分攪拌混合したのち、０．４５μｍフィルターを用いて加圧ろ過を行い、シアンインクを調製した。
【００４０】
2004009324.tif 000003
上記の各成分を十分攪拌混合したのち、０．４５μｍフィルターを用いて加圧ろ過を行い、マゼンタインクを調製した。
【００４１】
・イエローインク
Ｃ．Ｉ．Ｄｉｒｅｃｔ　Ｙｅｌｌｏｗ　１４４　　　・・・・２．５質量部
グリセリン　　　　　　　　　　　　　　　　　　　　　・・・・７質量部
２−ピロリドン　　　　　　　　　　　　　　　　　　　・・・・８質量部
サーフィノール４６５　　　　　　　　　　　　　　・・・・１．０質量部
純水　　　　　　　　　　　　　　　　　　　　　・・・・８１．５質量部
上記の各成分を十分攪拌混合したのち、０．４５μｍフィルターを用いて加圧ろ過を行い、イエローインクを調製した。
【００４２】
各インクにおける当該インクを普通上に４μｌ滴下した時の滴下１０秒後ないし滴下１００秒後の動的接触角を表１に示す。
【００４３】
【表１】
2004009324.tif 000004
【００４４】
−評価−
（１）インクドロップ量
２３℃、５５％ＲＨの環境において、周波数１８ｋＨｚで１／４ｔｏｎｅを３回吐出させ、インクをインク吸収体の小片に受けて重さを測定し、１ドロップの吐出質量を計算により求めた。
【００４５】
（２）画像品質テスト
ブラック（Ｂｋ）単色の文字画質、各色が隣接するカラー単色／２次色のソリッド画像、カラー背景部に対する黒色ラインパターンの印字テストを行った。評価項目として、Ｂｋ単色の文字画質、ソリッド画像の全体の均一性、ソリッド画像隣接部のにじみ、カラー背景部に対する黒色１ｄｏｔラインのにじみを調べた。なお、評価は次の基準で行った。
【００４６】
ａ）Ｂｋ単色の文字画質
○・・・・・すべての文字が明瞭
△・・・・・一部小さい文字が若干読み取りにくい
×・・・・・４ｐｏｉｎｔ以下で複雑な文字はつぶれて判読が困難
【００４７】
ｂ）ソリッド画像の全体均一性
○・・・・・乱れなし
△・・・・・わずかにムラあり
×・・・・・激しいムラあり
【００４８】
ｃ）ソリッド画像隣接部のにじみ
○・・・・・乱れなし
△・・・・・わずかに乱れあり
×・・・・・隣接部からの滲み出しが多く、境界部の滑らかさに欠ける
【００４９】
ｄ）カラー背景部に対する黒色１ｄｏｔラインにじみ
○・・・・・滲みなし
△・・・・・滲みわずかにあり
×・・・・・多くの部分でヒゲ状の滲みあり
【００５０】
【表２】
2004009324.tif 000005
【００５１】
表２の結果から明らかなように、本発明のインクジェット記録方法に従って、印字を行なうことで、普通紙上で、Ｂｋ単色の文字画質、ソリッド画像の全体の均一性、ソリッド画像隣接部のにじみ、カラー背景部に対する黒色１ｄｏｔラインのにじみについて十分良好な結果が得られることがわかる。
【００５２】
【発明の効果】
以上、本発明によれば、簡易な記録ヘッド構成により、普通紙上で十分な単色画質／混色画質／インク乾燥性を両立したインクジェット記録方法およびインクジェット記録装置を提供することができる。
【図面の簡単な説明】
【図１】本発明の実施の形態に係るインクジェット記録方法に適用される記録ヘッドの一例を示す概略構成図である。
【図２】本発明の実施の形態に係るインクジェット記録方法に適用される記録ヘッドの他の一例を示す概略構成図である。
【図３】比較例として用いた記録ヘッドを示す概略構成図である。
【符号の説明】
１０　記録ヘッド
１２　ブラックインク記録ヘッド
１４　カラーインク記録ヘッド
１６　シアンインク記録ヘッド
１８　マゼンタインク記録ヘッド
２０　イエローインク記録ヘッド
【図１】
2004009324.tif 000006
【図２】
2004009324.tif 000007
【図３】
2004009324.tif 000008